(57)【要約】【課題】火災の熱による電動モータの温度上昇を防止することができるシャッター装置を提供する。【解決手段】壁部に形成された開口部を遮蔽可能なシャッター装置において、壁部に固定されたシャッター枠（枠体）と、シャッター枠に開口部を開閉可能に支持されたシャッター面材（遮蔽面材）と、開口部を開放したシャッター面材を収容するシャッターケース（収納箱体）と、シャッターケース内に回転可能に設けられてシャッター面材を巻き取る回転ドラム（巻取軸体）５と、を備え、回転ドラム５は、シャッター面材が連結された筒状部５１と、筒状部５１の内部に収容され筒状部５１を回転させる電動モータ５４と、を備え、筒状部５１の電動モータ５４と対向する面および電動モータ５４の筒状部５１と対向する面の一方または両方に熱膨張性耐火材６が設けられている。【選択図】図４
2015034384.tif 000002
【特許請求の範囲】
【請求項１】
壁部に形成された開口部を遮蔽可能なシャッター装置において、
前記壁部に固定された枠体と、
該枠体に前記開口部を開閉可能に支持された遮蔽面材と、
前記開口部を開放した前記遮蔽面材を収容する収納箱体と、
該収納箱体内に回転可能に設けられて前記遮蔽面材を巻き取る巻取軸体と、を備え、
前記巻取軸体は、前記遮蔽面材が連結された筒状部と、
該筒状部の内部に収容され該筒状部を回転させる電動モータと、を備え、
前記筒状部の前記電動モータと対向する面および前記電動モータの前記筒状部と対向する面の一方または両方に熱膨張性耐火材が設けられていることを特徴とするシャッター装置。
【請求項２】
前記熱膨張性耐火材は、前記電動モータの前記筒状部の軸方向における両端部近傍に設けられていることを特徴とする請求項１に記載のシャッター装置。
【請求項３】
前記電動モータは、電動モータ本体と、該電動モータ本体が収容される電動モータ本体収容部とを備え、
該電動モータ本体収容部には、孔部が形成されていて、前記熱膨張性耐火材は、膨張したときに前記孔部を塞ぐように設けられていることを特徴とする請求項１または２に記載のシャッター装置。
【請求項４】
前記筒状部には、該筒状部の内外を遮断する蓋部が設けられていることを特徴とする請求項１乃至３のいずれか１項に記載のシャッター装置。
【発明の詳細な説明】
【技術分野】
【０００１】
本発明は、建物の窓やドアなどを設けた開口部の屋外側を遮蔽可能なシャッター装置に関する。
【背景技術】
【０００２】
従来、建物の窓やドアなどを設けた開口部の屋外側を遮蔽可能なシャッター装置として例えば、特許文献１に開示されたものが知られている。このようなシャッター装置は、シャッター枠（枠体）とシャッター枠に開閉可能に支持されるシャッター面材（遮蔽面材）と、開口部を開放したシャッター面材を収容するシャッターケース（収納箱体）と、シャッターケース内に回転可能に設けられてシャッター面材を巻き取る回転ドラム（巻取軸体）とを備えている。
【０００３】
そして、特許文献１のシャッター装置では、回転ドラムは、シャッター面材を巻き取るとともに内部に電動モータなどが収容される筒状部と、この筒状部の端部から突出する軸部と、少なくとも筒状部の端部から軸部の外周を覆う被覆体とを備え、軸部と被覆体との間に熱膨張性耐火材が設けられている。
これにより、火災が発生した場合には、熱膨張性耐火材が膨張して軸部と被覆体との間が閉塞されるため、筒状部の端部と軸部との間に隙間があったとしても、膨張した熱膨張性耐火材によってこの隙間が塞がれることになる。このため、火災の熱によって電動モータの温度が上昇し、電動モータの構成部材に使用されている樹脂などが溶融して可燃性ガスが発生したとしても、この可燃性ガスが筒状部の外部に漏出することを防止することができる
【先行技術文献】
【特許文献】
【０００４】
【特許文献１】特開２０１３−７１８９号公報
【発明の概要】
【発明が解決しようとする課題】
【０００５】
しかしながら、特許文献１のシャッター装置では、火災の熱によって発生した可燃性ガスが筒状部の外部に漏出するのを防止することはできるが、火災の熱によって可燃性ガスが発生してしまうという問題がある。
このため、火災が発生した場合にも、電動モータの温度が上昇せず、電動モータの構成部材に使用されている樹脂などが溶融して可燃性ガスが発生することを防止できるシャッター装置が望まれている。
【０００６】
本発明は、上述する事情に鑑みてなされたもので、火災の熱による電動モータの温度上昇を防止することができるシャッター装置を提供することを目的とする。
【課題を解決するための手段】
【０００７】
上記目的を達成するため、本発明に係るシャッター装置は、壁部に形成された開口部を遮蔽可能なシャッター装置において、前記壁部に固定された枠体と、該枠体に前記開口部を開閉可能に支持された遮蔽面材と、前記開口部を開放した前記遮蔽面材を収容する収納箱体と、該収納箱体内に回転可能に設けられて前記遮蔽面材を巻き取る巻取軸体と、を備え、前記巻取軸体は、前記遮蔽面材が連結された筒状部と、該筒状部の内部に収容され該筒状部を回転させる電動モータと、を備え、前記筒状部の前記電動モータと対向する面および前記電動モータの前記筒状部と対向する面の一方または両方に熱膨張性耐火材が設けられていることを特徴とする。
【０００８】
本発明では、筒状部の電動モータと対向する面および電動モータの筒状部と対向する面の一方または両方に熱膨張性耐火材が設けられていることにより、火災が発生した場合には、電動モータと筒状部の間において熱膨張性耐火材が膨張する。そして、膨張した熱膨張性耐火材は、火災の熱が電動モータに伝達されることを防止することができるため、電動モータの温度上昇を防止することができる。
これにより、火災の熱によって電動モータの基板などの構成部材に使用されている樹脂などが溶融し可燃性ガスが発生するのを防止することができ、シャッター装置の防火性能を向上させることができる。
【０００９】
また、本発明に係るシャッター装置では、前記熱膨張性耐火材は、前記電動モータの前記筒状部の軸方向における両端部近傍に設けられていることが好ましい。
【００１０】
このようにすることにより、火災が発生した場合に、電動モータの両端部において熱膨張性耐火材が膨張するため、電動モータの両端部側に伝達する熱を確実に遮断することができる。
また、万が一、火災の熱によって電動モータの基板などの構成部材に使用されている樹脂などが溶融し可燃性ガスが発生した場合にも、この可燃性ガスを電動モータと筒状部との間に確実に封じ込めることができる。
【００１１】
また、本発明に係るシャッター装置では、前記電動モータは、電動モータ本体と、該電動モータ本体が収容される電動モータ本体収容部とを備え、該電動モータ本体収容部には、孔部が形成されていて、前記熱膨張性耐火材は、膨張したときに前記孔部を塞ぐように設けられていることが好ましい。
【００１２】
このようにすることにより、火災が発生した場合に、熱膨張性耐火材が膨張して孔部を確実に塞ぐため、孔部から電動モータ収容部の内部へ熱が流入することを防止することができる。
また、万が一、火災の熱によって電動モータ本体の基板などの構成部材に使用されている樹脂などが溶融し可燃性ガスが発生した場合にも、この可燃性ガスが孔部から電動モータ本体収容部の外部へ漏出することを防止することができる。
【００１３】
また、本発明に係るシャッター装置では、前記筒状部には、該筒状部の内外を遮断する蓋部が設けられていることが好ましい。
【００１４】
このようにすることにより、万が一、火災の熱によって、電動モータの基板などの構成部材に使用されている樹脂などが溶融し可燃性ガスが発生したとしても、この可燃性ガスが筒状部から外部へ漏出することを防止することができる。
【発明の効果】
【００１５】
本発明によれば、筒状部の電動モータと対向する面および電動モータの筒状部と対向する面の一方または両方に熱膨張性耐火材が設けられていることにより、火災が発生した場合には、電動モータと筒状部の間において熱膨張性耐火材が膨張する。そして、膨張した熱膨張性耐火材は、火災の熱が電動モータに伝達することを防止することができるため、電動モータの温度上昇を防止することができる。
これにより、火災の熱によって電動モータの基板などの構成部材に使用されている樹脂などが溶融し可燃性ガスが発生することを防止することができ、シャッター装置の防火性能を向上させることができる。
【図面の簡単な説明】
【００１６】
【図１】本発明の実施形態によるシャッター装置の一例を示す全体図である。
【図２】図１の拡大図である。
【図３】（ａ）はシャッターケースの内部を示す図、（ｂ）は（ａ）とは別の方向から見たシャッターケースの内部を示す図である。
【図４】回転ドラムを説明する図である。
【発明を実施するための形態】
【００１７】
以下、本発明の実施形態によるシャッター装置１について、図１乃至図４に基づいて説明する。
図１および図２に示すように、本実施形態によるシャッター装置１は、建物の外壁（壁部）１１に形成されて窓やドアなどの建具が設けられる開口部１２の屋外１３側に設けられている。
シャッター装置１は、外壁１１に固定されるシャッター枠（枠体）２と、シャッター枠２に開口部１２を開閉可能に支持されるシャッター面材（遮蔽面材）３と、開口部１２を開放したシャッター面材３を収容するシャッターケース（収納箱体）４と、シャッターケース４内に回転可能に設けられてシャッター面材３を巻き取る回転ドラム（巻取軸体）５と、を備えている。
【００１８】
シャッター枠２は、開口部１２を囲うように外壁１１に固定された上枠、下枠および一対の縦枠を備えている。シャッターケース４は、シャッター枠２と連結し、開口部１２の上部において外壁１１に固定されている。シャッターケース４の内部には、回転ドラム５を支持する回転ドラム支持部材４１，４１（図３参照）が設けられている。
【００１９】
シャッター面材３は、高さ方向に連結された複数のスラット３１，３１…を備えている。そして、図３（ｂ）に示すように、複数のスラット３１，３１のうち最上部のスラット３１Ａが回転ドラム５に固定されている。
図１および図２に戻り、このようなシャッター面材３は、回転ドラム５に巻き取られることで開口部１２を開放し、回転ドラム５から繰り出されることで開口部１２を閉鎖するように構成されている。
【００２０】
図４に示すように、回転ドラム５は、見付け方向（図４の矢印Ａの方向）に延在しシャッター面材３を巻き取る筒状部５１と、筒状部５１の軸線上に配されて筒状部５１を回転可能に支持する軸部５２と、筒状部５１の内部に収容されたスプリングセット５３および電動モータ５４と、備えている。
筒状部５１は、軸方向（図４の矢印Ａの方向、以下、軸方向Ａとする）の両端部５１ａ，５１ｂが開口した筒状に形成されている。
また、筒状部５１の側面には、シャッター面材３の最上部のスラット３１Ａ（図３（ｂ）参照）が固定されている。
【００２１】
軸部５２は、一方の端部５２ａが筒状部５１の一方の端部５１ａから突出していて、他方の端部５２ｂが筒状部５１に挿入されている。  
スプリングセット５３は、軸方向Ａに所定の間隔をあけて軸部５２に回転可能に支持された一対のドラム５３１Ａ，５３１Ｂと、一対のドラム５３１Ａ，５３１Ｂ間に配されて軸部５２が挿通されたコイル状のスプリング５３２とを備えている。
一対のドラム５３１Ａ，５３１Ｂのうち一方の第１ドラム５３１Ａは、筒状部５１の内部において筒状部５１の一方の端部５１ａ近傍にビスなどの固定具で固定されていて、他方の第２ドラム５３１Ｂは、筒状部５１の内部において軸部５２の他方の端部５２ｂ近傍に対応する位置で筒状部５１にビスなどの固定具で固定されている。
スプリング５３２は、一方の端部５３２ａが軸部５２に連結されていて、他方の端部５３２ｂが第２ドラム５３１Ｂに連結されている。そして、スプリング５３２は、筒状部５１の回転により付勢力が増減し、この付勢力がシャッター面材３（図１および図２参照）の開閉に利用されるように構成されている。
【００２２】
電動モータ５４は、回転駆動によって筒状部５１を回転させる電動モータ本体５４１と、電動モータ本体５４１が収容されて筒状部５１の内部に筒状部５１と同軸に設置される電動モータ本体収容部５４２と、電動モータ本体収容部５４２の軸方向Ａの一方の端部５４２ａに設けられたフランジ５４３と、電動モータ本体収容部５４２の軸方向Ａの他方の端部５４２ｂから突出する支持部５４４と、を備えている。
【００２３】
電動モータ本体収容部５４２は、その外径が筒状部５１の内径よりも小さい略円筒状に形成されている。
また、電動モータ本体収容部５４２が筒状部５１の内部に設置されると、電動モータ本体収容部５４２の外周面と筒状部５１の内周面との間には隙間Ｓが形成されている。
【００２４】
フランジ５４３は、電動モータ本体収容部５４２の外径よりも大きい外径に形成されていて、筒状部５１にビスなどの固定具で固定されている。
また、フランジ５４３は、電動モータ本体収容部５４２と周方向に相対回転可能であるとともに、電動モータ本体５４１の軸と連結していて、電動モータ本体５４１の回転駆動によって周方向に回転するように構成されている。
これにより、電動モータ本体５４１が回転駆動すると、フランジ５４３とともに筒状部５１が回転するように構成されている。
【００２５】
支持部５４４は、その外径が筒状部５１の内径よりも小さい略円柱状に形成されていて、電動モータ本体収容部５４２と固定されている、または電動モータ本体収容部５４２と一体に形成されている。
そして、電動モータ５４が筒状部５１の内部に設置されると、支持部５４４は、筒状部５１の他方の端部５１ｂから突出するように構成されている。
【００２６】
また、筒状部５１の他方の端部５１ｂには、支持部５４４の外周面と筒状部５１の内周面との隙間を塞ぐための金属製のキャップ（蓋部）５５が設けられている。
キャップ５５は、中心部を支持部５４４が貫通する円盤状に形成されていて、支持部５４４と周方向に相対回転可能に構成されている。そして、キャップ５５は、筒状部５１の他方の端部５１ｂ近傍にビスなどの固定具で固定されていて、電動モータ５４の回転駆動により、筒状部５１とともに回転するように構成されている。
なお、キャップ５５は、支持部５４４の外周面と筒状部５１の内周面との隙間を塞ぐためだけでなく、電動モータ５４を筒状部５１に設置するためにも設けられている。
【００２７】
なお、本実施形態では、筒状部５１の一方の端部５１ａにも、筒状部５１の内外を遮断するキャップ（不図示）が設けられている。この筒状部５１の一方の端部５１ａに設けられるキャップについては、スプリングセット５３の構成部材がキャップの役割を兼ねていてもよいし、スプリングセット５３とは別に設けられていてもよい。
【００２８】
このような、回転ドラム５は、軸部５２の一方の端部５２ａおよび支持部５４４がシャッターケース４（図１および図２参照）内に設けられた回転ドラム支持部材４１，４１（図３参照）に支持され、電動モータ５４の回転駆動により筒状部５１が回転可能に構成されている。
【００２９】
ここで、電動モータ本体収容部５４２の外周面には、軸方向Ａに所定の間隔をあけて複数の熱膨張性耐火材６が設けられている。
熱膨張性耐火材６とは、火災時の熱によって膨張する公知の耐火材料で、樹脂や金属、炭素などを原材料として形成されている。そして、熱膨張性耐火材６は、火災時の熱によって通常時の十数倍から数十倍に膨張し、耐火性能を発揮するように構成されている。
【００３０】
本実施形態では、熱膨張性耐火材６は、例えば、厚さが１ｍｍ〜１．６ｍｍ程度のシート状に形成されていて、電動モータ本体収容部５４２の両端部５４２ａ，５４２ｂ近傍および中央部の３か所に電動モータ本体収容部５４２の外周面を略一周するように巻きつけられている。
熱膨張性耐火材６は、例えば接着剤で電動モータ本体収容部５４２の外周面に接着されていたり、ワイヤーなどで電動モータ本体収容部５４２に固定されていたりしている。
【００３１】
このように構成されたシャッター装置１は、火災が発生すると、熱膨張性耐火材６が、フランジ５４３とキャップ５５との間で、電動モータ本体収容部５４２の外周面と筒状部５１の内周面との隙間Ｓの空間が埋まるように膨張するように構成されている。
【００３２】
次に、上述したシャッター装置の作用・効果について図面を用いて説明する。
本実施形態によるシャッター装置１によれば、電動モータ本体収容部５４２の外周面に熱膨張性耐火材６が設けられていることにより、火災が発生した場合には、電動モータ本体収容部５４２と外周面と筒状部５１の内周面との隙間において熱膨張性耐火材６が膨張する。そして、膨張した熱膨張性耐火材６は、火災の熱が電動モータ５４に伝達することを防止することができるため、電動モータ５４の温度上昇を防止することができる。
これにより、火災の熱によって電動モータ５４の基板などの構成部材に使用されている樹脂などが溶融し可燃性ガスを発生することを防止することができ、シャッター装置１の防火性能を向上させることができる。
【００３３】
また、熱膨張性耐火材６は、電動モータ本体収容部５４２の軸方向Ａにおける両端部５４２ａ，５４２ｂ近傍に設けられていることにより、火災が発生した場合に、電動モータ本体収容部５４２の両端部５４２ａ，５４２ｂにおいて熱膨張性耐火材６が膨張するため、電動モータ本体収容部５４２の両端部５４２ａ，５４２ｂ近傍から電動モータ５４に伝達する熱を確実に遮断することができる。
また、万が一、火災の熱によって電動モータ５４の基板などの構成部材に使用されている樹脂などが溶融し可燃性ガスが発生した場合にも、この可燃性ガスを電動モータ本体収容部５４２の外周面と筒状部５１の内周面との隙間Ｓに封じ込めることができる。
【００３４】
また、筒状部５１の両端部５１ａ，５１ｂには、キャップ５５（端部５１ａ側のキャップは不図示）が設けられていることにより、万が一、火災の熱によって電動モータ５４の基板などの構成部材に使用されている樹脂などが溶融し可燃性ガスが発生したとしても、この可燃性ガスが筒状部５１から外部へ漏出することを防止することができる。
また、キャップ５５は、電動モータ５４を筒状部５１に設置するための部材も兼ねているため、キャップ５５を設置することで筒状部５１の他方の端部５１ｂの開口を塞ぐことができるとともに電動モータ５４の位置決めを容易に行うことができる。
【００３５】
以上、本発明によるシャッター装置の実施形態について説明したが、本発明は上記の実施形態に限定されるものではなく、その趣旨を逸脱しない範囲で適宜変更可能である。
例えば、上記の実施形態では、熱膨張性耐火材６は、電動モータ本体収容部５４２の外周面に設けられているが、電動モータ本体収容部５４２と対向する筒状部５１の内周面に設けられていてもよく、電動モータ本体収容部５４２の外周面および電動モータ本体収容部５４２と対向する筒状部５１の内周面の両方に設けられていてもよい。
【００３６】
また、電動モータ本体収容部５４２の周面に電動モータ本体５４１が回転駆動したときに発生した熱を電動モータ本体５４１の外部に排出するための電動モータ本体収容部５４２の内外を連通させる孔部５４５が形成されている場合は、膨張した熱膨張性耐火材６が孔部５４５を塞ぐように熱膨張性耐火材６を設けてもよい。
例えば、熱膨張性耐火材６を電動モータ本体収容部５４２の孔部５４５の側方に設けて、火災の熱によって熱膨張性耐火材６が膨張したときに孔部５４５を塞ぐようにしてもよい。
このようにすることにより、火災が発生した場合に、孔部５４５が塞がれるため、孔部５４５から電動モータ本体収容部５４２内部への熱の流入を防止することができる。また、万が一、火災の熱によって電動モータ５４の基板などの構成部材に使用されている樹脂などが溶融し可燃性ガスが発生した場合にも、この可燃性ガスが孔部５４５から電動モータ本体収容部５４２の外部へ漏出することを防止することができる。
【００３７】
さらに、平常時（火災が発生していないとき）には、孔部５４５が塞がれていないため、電動モータ本体５４１が回転駆動したときに発生した熱を、孔部５４５から電動モータ本体収容部５４２の外部に効率よく排出することができる。
なお、電動モータ本体収容部５４２の周面に複数の孔部５４５が形成されている場合は、複数の孔部５４５のうちの一部を塞ぐように熱膨張性耐火材６を設けてもよい。
また、熱膨張性耐火材６によって形成されている孔部５４５を全て（孔部５４５が１つのみ形成されている場合は１つの孔部５４５）塞いでも、電動モータ本体５４１が回転駆動したときに発生した熱の処理に問題がない場合は、すべての孔部５４５を塞ぐように熱膨張性耐火材５４５を設けてもよい。
また、電動モータ本体収容部５４２には、孔部５４５が形成されていなくてもよい。
【００３８】
また、上記の実施形態では、熱膨張性耐火材６は、電動モータ本体収容部５４２の外周面の軸方向Ａの両端部５４２ａ，５４２ｂ近傍および中央部に軸方向へ間隔をあけて設けられているが、熱膨張性耐火材６は、電動モータ本体収容部５４２の外周面の軸方向Ａの両端部５４２ａ，５４２ｂ近傍のみや、中央部のみなど、任意の位置に設けられてもよい。また、熱膨張性耐火材６は、電動モータ本体収容部５４２の外周面全面に設けられてもよい。
また、上記の実施形態では、膨張した熱膨張性耐火材６によって、フランジ５４３とキャップ５５との間で、電動モータ本体収容部５４２の外周面と筒状部５１の内周面との隙間Ｓの空間が埋まるように設定されているが、膨張した熱膨張性耐火材６によって隙間Ｓのどの程度の空間が埋まるようにするかは適宜設定されてよい。
【００３９】
また、上記の実施形態では、筒状部５１の両端部５１ａ，５１ｂに筒状部５１の内外を遮断するためのキャップ５５（端部５１ａ側のキャップは不図示）が設けられているが、キャップは設けられていなくてもよいし、筒状部５１の両端部５１ａ，５１ｂのいずれか一方のみに設けられていてもよい。
【００４０】
また、筒状部５１の他方の端部５１ｂにキャップ５５を設けて、筒状部５１の一方の端部５１ａにキャップを設ける代わりに、電動モータ５４に設けられたフランジ５４３が筒状部５１の一方の端部５１ａ側と他方の端部５１ｂ側とを遮断できるようにして、フランジ５４３がキャップの役割を兼ねるようにしてもよい。このようにしても、万が一、火災の熱によって電動モータ５４の基板などの構成部材に使用されている樹脂などが溶融し可燃性ガスが発生したとしても、この可燃性ガスが筒状部５１から外部へ漏出することを防止することができる。
また、筒状部５１の他方の端部５１ｂに設けられたキャップ５５は、電動モータ５４を筒状部５１に設置するための部材も兼ねているが、電動モータ５４を筒状部５１に設置するための部材とは別の部材としてもよい。
【符号の説明】
【００４１】
１  シャッター装置
２  シャッター枠（枠体）
３  シャッター面材（遮蔽面材）
４  シャッターケース（収納箱体）
５  回転ドラム（巻取軸体）
６  熱膨張性耐火材
５１  筒状部
５２  軸部
５４  電動モータ
５５  キャップ（蓋部）
５４１  電動モータ本体
５４２  電動モータ本体収容部
５４２ａ，５４２ｂ  端部
５４５  孔部
【図１】
2015034384.tif 000003
【図２】
2015034384.tif 000004
【図３】
2015034384.tif 000005
【図４】
2015034384.tif 000006